(57)【要約】【課題】  画像形成装置からクリーニングユニットを取り外す際に起こるブレードからのトナー落ちを防止するクリーニングユニットを提供すること。【解決手段】  画像形成装置のクリーニングを実行するクリーニングユニットであって、ドラム表面に接触してトナーを除去するブラシ１と、先端部を前記ドラム表面に当接してトナーを掻き落とすブレード２と、前記ブラシ１と前記ブレード２とを支持する支持体３とを備え、前記ブレード２は、前記先端部が、前記ドラム表面に当接するクリーニング位置と前記ドラム表面から退避する退避位置との間で姿勢変化が可能であり、前記退避位置では前記ブレード２の前記先端部が前記ブラシ１に接触するクリーニングユニット。【選択図】  図１ 
2005208405.tif 000002
【特許請求の範囲】
【請求項１】
画像形成装置のクリーニングを実行するクリーニングユニットであって、
ドラム表面に接触してトナーを除去するブラシと、
先端部を前記ドラム表面に当接してトナーを掻き落とすブレードと、
前記ブラシと前記ブレードとを支持する支持体と
を備え、
前記ブレードは、前記先端部が、前記ドラム表面に当接するクリーニング位置と前記ドラム表面から退避する退避位置との間で姿勢変化が可能であり、前記退避位置では前記ブレードの前記先端部が前記ブラシに接触するクリーニングユニット。
【請求項２】
前記支持体は、前記画像形成装置に対して着脱可能であり、前記支持体の取り外し時において、前記ブレードの前記先端部が前記退避位置に動作する請求項１に記載のクリーニングユニット。
【請求項３】
前記支持体に前記画像形成装置への着脱を行うための操作レバーが設けられており、前記操作レバーの操作に連動して前記ブレードの前記先端部が動作可能に構成されている請求項２に記載のクリーニングユニット。
【請求項４】
前記ブラシは、前記ブレードの前記先端部が前記退避位置に動作することと連動して動作し、前記ブレードに付着している前記トナーを除去する請求項２または３に記載のクリーニングユニット。
【発明の詳細な説明】
【技術分野】
【０００１】
本発明は、複写機、プリンタ、またはファクシミリ等の画像形成装置のクリーニングを実行するクリーニングユニットに関する。
【背景技術】
【０００２】
複写機、プリンタ、またはファクシミリ等の画像形成装置は、一般に次のような工程により画像形成を行っている。（１）画像形成装置内に設置してある帯電器から発生させた電荷を、同じ画像形成装置内に設置してある感光体ドラムの表層に付与する帯電工程。（２）この感光体ドラムに静電潜像を形成するために光照射する露光工程。（３）感光体ドラム表層に形成した静電潜像に対してトナーを供給し、トナー像を形成させる現像工程。（４）感光体ドラムのトナー像をシートに転写する転写工程。
【０００３】
次回、新たな画像形成を行う場合には、上記工程を繰り返せばよい。ところが、ドラムからシートにトナー像を転写する際に、ドラム表面にトナーがいくらか残留することがある。そこで、次の画像形成工程を行う前に、ドラム表面をクリーニングし、残留するトナーを除去しておく必要がある。
【０００４】
従来、画像形成装置におけるドラム表面をクリーニングするための手段として、ブラシおよびブレードを用いたクリーニングユニットがあった（例えば、特許文献１参照）。特許文献１のクリーニングユニットでは、回転するドラムの表面にブラシを接触させることによりブラシにトナーを静電的に吸着させ、さらに、ドラム表面に接触するブレードによってトナーを完全に掻き落としている。ドラム表面から掻き落とされたトナーは、クリーニングユニット内の搬送スクリューによって外部に排出される。
【０００５】
【特許文献１】特開平５−１５８３８３号公報
【発明の開示】
【発明が解決しようとする課題】
【０００６】
このような画像形成装置において、クリーニングユニットに使用するブラシやブレードを交換したり、あるいは画像形成装置本体側のドラムのメンテナンス作業を行うためには、クリーニングユニットをドラムから一旦取り外さなければならない。ところが、クリーニングを行った後のブレードの先端には、通常、除去したトナーが付着している。このため、特許文献１のクリーニングユニットでは、クリーニングユニットの取り外しを行おうとすると、取り外し時の振動等が原因でブレードに付着しているトナーが剥がれ落ちてしまい、画像形成装置の内部を汚してしまうという問題があった。
【０００７】
従って、本発明は、上記問題点に鑑みてなされたものであり、画像形成装置からクリーニングユニットを取り外す際に起こるブレードからのトナー落ちを防止するクリーニングユニットを提供することを目的とする。
【課題を解決するための手段】
【０００８】
本発明に係るクリーニングユニットの特徴構成は、画像形成装置のクリーニングを実行するクリーニングユニットであって、ドラム表面に接触してトナーを除去するブラシと、先端部を前記ドラム表面に当接してトナーを掻き落とすブレードと、前記ブラシと前記ブレードとを支持する支持体とを備え、前記ブレードは、前記先端部が、前記ドラム表面に当接するクリーニング位置と前記ドラム表面から退避する退避位置との間で姿勢変化が可能であり、前記退避位置では前記ブレードの前記先端部が前記ブラシに接触する点にある。
【０００９】
このクリーニングユニットであれば、ブレードをドラム表面から退避させ、ブレード先端部をブラシに接触させることができるので、ブレードに付着しているトナーはブラシにより回収され、トナー落ちを防止することが可能となる。従って、画像形成装置から支持体を取り外す前にブレードを退避位置にすれば、トナー落ちによる画像形成装置内の汚染を未然に回避することができる。
【００１０】
本発明に係るクリーニングユニットでは、前記支持体は、前記画像形成装置に対して着脱可能であり、前記支持体の取り外し時において、前記ブレードの前記先端部が前記退避位置に動作することも可能である。
【００１１】
このクリーニングユニットであれば、画像形成装置から支持体を取り外す際、その先端部がブラシと接触する退避位置に来るようにブレードが動作するので、作業者がトナー落ち防止のため別途操作を行う必要がなくなり、画像形成装置のメンテナンスの作業性が向上する。
【００１２】
本発明に係るクリーニングユニットでは、前記支持体に前記画像形成装置への着脱を行うための操作レバーが設けられており、前記操作レバーの操作に連動して前記ブレードの前記先端部が動作可能に構成されることも可能である。
【００１３】
このクリーニングユニットであれば、操作レバーを操作するだけで、クリーニングユニットの取り外しと、その際のブレードの退避位置への移動とを同時に行うことができるので、作業者の操作性を向上させながらブレード先端部からのトナー落ちを防止することができる。
【００１４】
本発明に係るクリーニングユニットでは、前記ブラシは、前記ブレードの前記先端部が前記退避位置に動作することと連動して動作し、前記ブレードに付着している前記トナーを除去することも可能である。
【００１５】
このクリーニングユニットであれば、クリーニングユニットの取り外し時において、ブレードが退避位置に移動してブラシと接触するときに、それと連動してブラシが動作し、ブレード先端に付着しているトナーが除去されるので、ブラシによるトナーの回収をより確実なものとすることができるとともに、次にクリーニングユニットを装着するときに備えて、ブレード先端部をクリーンな状態にしておくことができる。
【発明を実施するための最良の形態】
【００１６】
以下、本発明の実施の形態を図面に基づいて説明する。なお、本発明は以下の実施の形態および図面に記載される構成に限定されるものではない。
【００１７】
図１は、本実施形態のクリーニングユニット１００の内部構造を示した模式断面図である。クリーニングユニット１００は、ブラシ１と、ブレード２と、ブラシ１およびブレード２を支持する支持体３とを備えている。
【００１８】
ブラシ１は、回転軸１０を中心に回転可能な略円柱形状を有しており、その毛先部分がドラム８の表面に接触するように配置されている。図１のように、ドラム８を時計回りに回転させると、ブラシ１はクリーニングユニット１００に設置された駆動手段（図示せず）によってドラム８の表面を摩擦するように時計回りに回転する。このときブラシ１の毛先部分がドラム８の表面にある残留トナーを静電的に吸着し、除去することができる。
【００１９】
ブレード２は、ブラシ１によって取り除ききれなかったトナーを完全に除去するためのものであり、ドラム８の回転方向におけるブラシ１の下流側に配置されている。本実施形態では、ブレード２は、ブレード保持部材１２に保持されている。クリーニングを実行する際は、ブレード２の先端部をドラム８の表面に当接させておく。そして、この状態でドラム８を時計回りに回転させると、ブレード先端部がドラム表面の残留トナーを掻き落とすことにより、ドラム表面の残留トナーは完全に除去される。ブラシ１およびブレード２によって除去されたトナーは、クリーニングユニット１００の下部に設けられた搬送スクリュー９によって外部に排出される。
【００２０】
また、本実施形態では、ブレード保持部材１２は支点１１によって支持体３に回動可能に取り付けられており、ブレード保持部材１２が回動することにより、ブレード２はその先端部が、ドラム表面に当接する位置（クリーニング位置）と、ドラム表面から退避する位置（退避位置）との間で姿勢を変化させることができる。ブレード２の姿勢変化が可能であることの利点は次のとおりである。
【００２１】
ブレード２をドラム表面に当接させてドラム８のクリーニングを行うと、ブレード先端部に除去したトナーが付着する。この状態でクリーニングユニット１００（支持体３）を取り外そうとすると、取り外し時の振動等によってブレード先端部に付着しているトナーが剥がれ落ちてしまい、画像形成装置内の汚染の原因となる。そこで、本実施形態では、クリーニングユニット１００を取り外す前に、ブレード２の位置をブレード先端部がブラシ１と接触する退避位置に移動させ、ブレード先端部に付着しているトナーをブラシ２によって回収することで、画像形成装置からクリーニングユニット１００を取り外したときのトナー落ちを防止している。このように、本実施形態では、従来問題となっていたクリーニングユニット１００の画像形成装置からの取り外しの際に起こるトナー落ちによる画像形成装置内の汚染を未然に回避することができる。
【００２２】
また、ブレード２の退避位置への移動のタイミングを、クリーニングユニット１００の取り外しのタイミングに連動させてもよい。すなわち、クリーニングユニット１００（支持体３）を画像形成装置から取り外すときに、ブレード２の先端部が退避位置に来るようにブレード保持部材１２を回動させてブレード２を動作させるようにしてもよい。このようにすれば、作業者がトナー落ち防止のため別途操作を行う必要がなくなり、画像形成装置のメンテナンスの作業性が向上する。
【００２３】
本実施形態のクリーニングユニット１００では、前記画像形成装置への着脱を行うための操作レバー４を支持体３に設けることもできる。この操作レバー４によって、作業者は、クリーニングユニット１００の着脱とブレード２の姿勢変更との両方を一度の操作で容易に行うことができる。以下、操作レバー４によるクリーニングユニット１００の着脱操作について詳しく説明する。
【００２４】
操作レバー４は、レバー回動軸１３によって支持体３に回動可能に取り付けられている。また、操作レバー４は、作業者が容易に操作することができるように、その一端がクリーニングユニット１００から外側に突出している。操作レバー４のレバー回動軸１３は、図３に示すように支持体３を貫通し、支持体３の外部側面においてレバー回動軸１３に操作レバー４と連動する係合部材５が連結されている。この係合部材５は画像形成装置側に設けられた固定ピン６と係合可能に構成されている。また、ブレード支持部材１２は、支持体３との間に取り付けられたバネ７によって、図１の矢印Ａ方向に常に引っ張られている。その結果、ブレード保持部材１２は、支点１１を中心に反時計回り方向に付勢され、ブレード２は、図１のようにドラム表面に当接した状態（クリーニング位置）になる。このとき同時に、ブレード保持部材１２は、操作レバー４を矢印Ａ方向に付勢し、これによって操作レバー４および係合部材５にはレバー回動軸１３を中心に反時計回り方向の力が掛かり、係合部材５が固定ピン６と係合する。
【００２５】
一方、作業者が操作レバー４を矢印Ｂ方向に押し上げると、図２のように、係合部材５が固定ピン６から外れ、クリーニングユニット１００を画像形成装置から取り外すことが可能となる。このとき同時に、操作レバー４がブレード支持部材１２を矢印Ｂ方向に付勢するので、ブレード支持部材１２が支点１１を中心として時計回り方向に回転し、その結果、ブレード２の先端部がブラシ１に接触した状態（退避位置）になって、ブレード先端部に付着しているトナーはブラシ１により回収される。
【００２６】
このように、支持体３に操作レバー４を設けることにより、クリーニングユニット１００の取り外しと、その際のブレード２の退避位置への移動とを一度に同時に行うことができるようになるので、作業者の操作性を向上させながらブレード先端部からのトナー落ちを防止することができる。
【００２７】
なお、ブレード２の先端部が退避位置に動作することと連動してブラシ１を動作させ、ブレード２に付着しているトナーを除去するような構成とすることも可能である。具体的には、ブレード支持部材１２の支点１１とブラシ１の回転軸１０とをギア等により連動させ、ブレード支持部材１２の回転に伴ってブラシ１が回転する構成等とすることができる。このようにすれば、ブラシ１によるトナーの回収をより確実なものとすることができるとともに、次にクリーニングユニットを装着するときに備えて、ブレード先端部をクリーンな状態にしておくことができる。
【図面の簡単な説明】
【００２８】
【図１】ブレードがクリーニング位置にあるときのクリーニングユニットの内部構造を示した模式断面図
【図２】ブレードが退避位置にあるときのクリーニングユニットの内部構造を示した模式断面図
【図３】本発明のクリーニングユニットを示す斜視図
【符号の説明】
【００２９】
１  ブラシ
２  ブレード
３  支持体
４  操作レバー
５  係合部材
６  固定ピン
７  バネ
８  ドラム
９  搬送スクリュー
１０  回転軸
１１  支点
１２  ブレード保持部材
１３  レバー回動軸
【図１】
2005208405.tif 000003
【図２】
2005208405.tif 000004
【図３】
2005208405.tif 000005